(57)【要約】【課題】  屋外構築物の折板屋根の下面に天井を追加設置する。【解決手段】  屋外構築物Ａの平面矩形をなす建物構造材の桁１１ａ間に多数の中間下地材２を配置し、これに形成した載置条２２と挿入条２３を隣接する中間下地材２間で対向配置し、挿入条２３に天井パネル３一方の端部を挿入し、載置条２２に他方の端部を載置し、天井パネル３の載置条２２に載置した端部を後付金具４によって固定して、天井とする。後付金具４は、中間下地材２を被嵌してネジ９止めして、そのパネル押え片４５で天井パネル３の端部を押え固定する。天井の端部では、同様な挿入条５１を有する端部枠５を天井パネル３の端部に装着して、この端部枠５を、梁１１ｂに沿って設けた端部下地材６に対してネジ９止めする。【選択図】  図８
2010203040.tif 000002
【特許請求の範囲】
【請求項１】
幅方向片側一方に載置条を、片側他方に挿入条を突設した中間下地材を用い、該中間下地材を、平面矩形の建物構造材における平行一方の構造材に長手方向所定間隔に並列架設して該中間下地材の隣接相互に載置条と挿入条を対向配置し、その挿入条にパネル端部を挿入し且つ載置条にパネル端部を載置することによって中間下地材間に天井パネルを配置するとともに該載置条に載置したパネル端部を中間下地材長手方向所定間隔に後付設置した後付金具によって押え固定してなることを特徴とする天井パネル固定装置。
【請求項２】
上記平面矩形の建物構造材における平行他方の構造材の各端部に、上記中間下地材の載置条又は挿入条と対向する挿入条を備えて、端部一方において先付し他方において後付した端部枠を追加的に配置し該端部枠によってその隣接する中間下地材との間にパネル端部を挿入支持してなることを特徴とする請求項１に記載の天井パネル固定装置。
【請求項３】
上記平面矩形の建物構造材における平行一方の構造材の各端部又は該構造材とその長手方向中間位置に配置した支持枠に上記中間下地材の載置条と同一面をなす載置条を追加的に配置し該載置条によって上記天井パネルの他のパネル端部を載置してなることを特徴とする請求項１又は２に記載の天井パネル固定装置。
【請求項４】
上記パネル端部を押え固定した後付金具を、中間下地材に被嵌配置し、その載置条側に突出したパネル押え片と挿入条側の側面に沿うネジ固定片を備えてなることを特徴とする請求項１、２又は３に記載の天井パネル固定装置。
【請求項５】
上記建物構造枠を、ガレージ等の屋外構築物の支柱によって支持した桁及び梁の構造材とし且つ中間下地材又は端部枠乃至支持枠を該桁及び梁の構造材に対して選択的に配置自在としてなることを特徴とする請求項１、２、３又は４に記載の天井パネル固定装置。
【発明の詳細な説明】
【技術分野】
【０００１】
本発明は、例えばガレージ等の建造物における屋根の下面を覆うように天井を形成するに好適に用いられる天井パネル固定装置に関する。
【背景技術】
【０００２】
この種の天井パネル固定装置として、例えば、システム天井において、断面エ字状、断面逆干字状にその垂直軸から両側に突出した上下の突条のうち上条又は下条の一方を短寸化し、一般にスラブから吊支持した下地材（野縁）を用いて、天井パネル両端に形成した受入溝に該下地材の下条を受入れるように、隣接する下地材間に該天井パネルを嵌め合い設置するようにしたものが知られており、このとき断面エ字状のもの、断面逆干字状のものにおける各天井パネルの受入溝は、これを画する端部の上位突条を下位突条よりいずれも短寸に形成することによって、該受入溝と下地材との嵌め合いを容易化したものとされる。
【先行技術文献】
【特許文献】
【０００３】
【特許文献１】実開平５−３８１３２号公報
【特許文献２】実開平６−３０３１３号公報
【発明の概要】
【発明が解決しようとする課題】
【０００４】
この場合、システム天井として、これに用いる下地材、天井パネル等の部材を規格化して市場に提供するものとされ、例えばオフィス等の天井として用いられるが、例えば、ガレージ等の建造物にあって、該システム天井を用いるにはデザイン的にも違和感を招き易いし、この種の建造物は、桁や梁といった建物構造材を平面矩形に組んで折板屋根やガラス屋根を支持していることが一般であるから、該屋根の下面に天井を配置するには、平面矩形の建物構造材に支持した状態に天井を形成する必要があり、システム天井のように、下地材をスラブから吊支持して、天井パネルを支持することはできない。
【０００５】
また、天井パネルはその受入溝に下地材の下条を受入れて、その設置を行うところ、天井の端部に生じる規格外の幅部分については、規格の天井パネルを現場切断した上、その切断端面に下地材の下条を受入れる受入溝を現場加工する必要があるが、現場加工によって該受入溝を形成することは煩雑な作業を必要とする一方、規格品のような良好な加工をなし得るとは限らず、場合によって下地材との間で納まり不良を招く可能性もある。
【０００６】
本発明はかかる事情に鑑みてなされたもので、その解決課題とするところは、平面矩形の建物構造材に対して天井を形成し得るようにするとともに天井パネルの端面に受入溝等、天井パネル配置のための加工部位を必要とすることなく、切断した天井パネルを用いて、天井の形成を可及的簡易な作業によって確実になし得るようにした天井パネル固定装置を提供するにある。
【課題を解決するための手段】
【０００７】
上記課題に沿って本発明は、平面矩形の建物構造材における平行一方の構造材、例えば桁に複数の中間下地材を直交して架設することによって、この中間下地材の幅方向両端に配置した載置条と挿入条を交互に配置して、天井パネルの挿入条に片側端部を挿入するとともに載置条に他の片側端部を載置して、該天井パネルの下支え支持を行ない且つ載置条に載置した天井パネルの端部を中間下地材に設置した後付金具によって押え固定するようにして、天井の下地をなすように配置した中間下地材間に天井パネルを横向きのケンドン状に挿入転倒することによって天井パネルの設置をなし得るようにしたものであって、即ち、請求項１に記載の発明を、幅方向片側一方に載置条を、片側他方に挿入条を突設した中間下地材を用い、該中間下地材を、平面矩形の建物構造材における平行一方の構造材に長手方向所定間隔に並列架設して該中間下地材の隣接相互に載置条と挿入条を対向配置し、その挿入条にパネル端部を挿入し且つ載置条にパネル端部を載置することによって中間下地材間に天井パネルを配置するとともに該載置条に載置したパネル端部を中間下地材長手方向所定間隔に後付設置した後付金具によって押え固定してなることを特徴とする天井パネル固定装置としたものである。
【０００８】
請求項２に記載の発明は、上記に加えて、天井の端部側に位置する中間下地材と該建物構造材間で天井パネルの設置を行なうにつき、建物構造材に端部枠を先付又は後付配置し、該端部枠に上記中間下地材の載置条又は挿入条と対向する挿入条を配置し、端部枠の挿入条によってパネル端部を受け入れ支持して、該端部の天井パネルを設置し得るものとするように、これを、上記平面矩形の建物構造材における平行他方の構造材の各端部に、上記中間下地材の載置条又は挿入条と対向する挿入条を備えて、端部一方において先付し他方において後付した端部枠を追加的に配置し該端部枠によってその隣接する中間下地材との間にパネル端部を挿入支持してなることを特徴とする請求項１に記載の天井パネル固定装置としたものである。
【０００９】
請求項３に記載の発明は、同じく上記に加えて、中間下地材に配置した天井パネルのより安定した支持をなし得るものとするように、これを、上記平面矩形の建物構造材における平行一方の構造材の各端部又は該構造材とその長手方向中間位置に配置した支持枠に上記中間下地材の載置条と同一面をなす載置条を追加的に配置し該載置条によって上記天井パネルの他のパネル端部を載置してなることを特徴とする請求項１又は２に記載の天井パネル固定装置としたものである。
【００１０】
請求項４に記載の発明は、同じく上記に加えて、中間下地材の載置条とこれに載置したパネル端部の後付金具による固定を、安定且つ確実になし得るものとするように、これを、上記パネル端部を押え固定した後付金具を、中間下地材に被嵌配置し、その載置条側に突出したパネル押え片と挿入条側の側面に沿うネジ固定片を備えてなることを特徴とする請求項１、２又は３に記載の天井パネル固定装置としたものである。
【００１１】
請求項５に記載の発明は、上記ガレージ等の屋外構築物に対して、後付する場合を含めて選択的な天井形成を行なうことによって、その使い勝手を良好とし得るように、これを、上記建物構造枠を、ガレージ等の屋外構築物の支柱によって支持した桁及び梁の構造材とし且つ中間下地材又は端部下地材乃至支持枠を該桁及び梁の構造材に対して選択的に配置自在としてなることを特徴とする請求項１、２、３又は４に記載の天井パネル固定装置としたものである。
【００１２】
本発明はこれらをそれぞれ発明の要旨として、上記課題解決の手段としたものである。
【発明の効果】
【００１３】
本発明は以上のとおりに構成したから、請求項１に記載の発明は、平面矩形の建物構造材における平行一方の構造材、例えば桁に複数の中間下地材を直交して架設することによって、この中間下地材の幅方向両端に配置した載置条と挿入条を交互に配置して、天井パネルの挿入条に片側端部を挿入するとともに載置条に他の片側端部を載置して、該天井パネルの下支え支持を行ない且つ載置条に載置した天井パネルの端部を中間下地材に設置した後付金具によって押え固定するようにして、天井の下地をなすように配置した中間下地材間に天井パネルを横向きのケンドン状に挿入転倒することによって天井パネルの設置をなし得るようにして、平面矩形の建物構造材に対して天井を形成し得るようにするとともに天井パネルの端面に受入溝等、天井パネル配置のための加工部位を必要とすることなく、切断した天井パネルを用いて、天井の形成を可及的簡易な作業によって確実になし得るようにした天井パネル固定装置を提供することができる。
【００１４】
請求項２に記載の発明は、上記に加えて、天井の端部側に位置する中間下地材と該建物構造材間で天井パネルの設置を行なうにつき、建物構造材に端部枠を先付又は後付配置し、該端部枠に上記中間下地材の載置条又は挿入条と対向する挿入条を配置し、端部枠の挿入条によってパネル端部を受け入れ支持して、該端部の天井パネルを設置することができる。
【００１５】
請求項３に記載の発明は、同じく上記に加えて、中間下地材に配置した天井パネルのより安定した支持をなし得るものとすることができる。
【００１６】
請求項４に記載の発明は、同じく上記に加えて、中間下地材の載置条とこれに載置したパネル端部の後付金具による固定を、安定且つ確実になし得るものとすることができる。
【００１７】
請求項５に記載の発明は、上記ガレージ等の屋外構築物に対して、後付する場合を含めて選択的な天井形成を行なうことによって、その使い勝手を良好とすることができる。
【図面の簡単な説明】
【００１８】
【図１】ガレージの正面図である。
【図２】ガレージの側面図である。
【図３】ガレージと天井の関係を示す斜視図である。
【図４】中間下地材と天井パネルの関係を示す斜視図である。
【図５】図４のＡ−Ａ線縦断面図である。
【図６】図４のＢ−Ｂ線縦断面図である。
【図７】端部下地材、中間下地材及び天井パネルの関係を示す分解縦断面図である。
【図８】天井パネルの配置方法を示す斜視図である。
【図９】後付金具の設置方法を示す斜視図である。
【図１０】中間下地材の縦断面図である。
【図１１】端部枠の縦断面図である。
【図１２】後付金具の斜視図である。
【発明を実施するための形態】
【００１９】
以下図面の例に従って本発明を更に具体的に説明すれば、Ａは、例えばガレージとした２連の連棟構造とした屋外構築物であり、該屋外構築物Ａは、支柱１と、該支柱１に載置固定した平面矩形の建物構造材１１ａ、１１ｂと、該平面矩形の建物構造材１１ａ、１１ｂの上面に載置固定した折板屋根材による屋根１２と、正面の開口に配置した縦引きシャッター１３と、側面の開口に配置した横引きシャッター１４とを備える一方、背面及び他の側面の開口に配置した図示省略の壁面材を備えて形成してあり、このとき支柱１、建物構造材１１ａ、１１ｂ、縦引きシャッター１３、横引シャッター１４の框、壁面材等の部材は、これをアルミ押出材に切断加工を施すことによって、該屋外構築物Ａは、これをアルミ製としたものとしてある。
【００２０】
該屋外構築物Ａは、上記屋根１２の下面に天井を選択的に配置自在としてあり、本例にあって該屋外構築物Ａはその上記建物構造材１１ａ、１１ｂに対して該天井を配置したものとしてある。
【００２１】
このとき天井は、幅方向片側一方に載置条２２を、片側他方に挿入条２３を突設した中間下地材２を用い、該中間下地材２を、平面矩形の建物構造材における平行一方の構造材１１ａ、本例にあっては正面の上部開口を画する桁及びこれに平行な桁に長手方向所定間隔に並列架設して該中間下地材２の隣接相互に載置条２２と挿入条２３を対向配置し、その挿入条２３にパネル端部を挿入し且つ載置条２２にパネル端部を載置することによって中間下地材２間に天井パネル３を配置するとともに該載置条２２に載置したパネル端部を中間下地材長手方向所定間隔に後付設置した後付金具４によって押え固定して、これを形成したものとしてあり、本例にあって上記平面矩形の建物構造材１１ｂ、本例にあっては上記桁に交差する梁の各端部に、上記中間下地材２の載置条２２又は挿入条２３と対向する挿入条５１を備えて、端部一方において先付し他方において後付した端部枠５を配置し、該端部枠５によってその隣接する中間下地材２との間のパネル端部を挿入支持したものとし、また上記平面矩形の建物構造材における平行一方の構造材１１ａ、即ち、桁の各端部又は該構造材１１ａと平行にその長手方向中間位置、本例にあっては各端部に配置した支持枠８に上記中間下地材２の載置条２２と同一面をなす載置条８１を配置し、該載置条８１によって上記天井パネル３の他のパネル端部を載置したものとしてある。
【００２２】
本例にあって建物構造枠１１ａ、１１ｂは、これを、上記屋外構築物Ａの支柱１によって支持した上記桁及び梁の構造材とし且つ中間下地材２又は端部下地材６乃至支持枠８を該桁及び梁の構造材に対して選択的に配置自在として、その上記天井の選択的な形成を行なったものとしてあり、このとき本例にあって上記後付の端部下地材６によるパネル端部の挿入支持は、これを、上記平面矩形の建物構造材における上記平行他方の構造材１１ｂの梁に該端部枠５を固定する端部下地材６を添設配置し、該端部下地材６を介して行ない、また、平面矩形の建物構造枠１１ａ、１１ｂに天井パネル３を設置するについて、本例にあってその上記平行他方の構造材１１ｂの梁間に中間下地材２の上位に位置してこれを金具によって吊支持する天井吊材７を配置し、該天井吊材７により梁長さを区分することによって、桁と該天井吊材７間の長さにして、上記中間下地材２間乃至該中間下地材２と端部下地材６間の空間を天井パネル３の設置空間としてある。
【００２３】
上記アルミ製の屋外構築物Ａに天井を形成した、これら中間下地材２、端部枠５、端部下地材６、天井吊材７、支持枠８を含めて、該天井形成に用いるその余の長尺材は、これを、上記屋外構築物Ａの各部材と同様に切断加工を施したアルミ押出材によってこれを形成したものを可及的に用いたものとしてある。
【００２４】
中間下地材２は、例えば断面矩形の中空基部２１と、該中空基部２１の下端の幅方向片側一方に上記載置条２２を水平に突出し、幅方向片側他方に天井パネル３の厚さに応じてこれを受入可能な程度の断面コ字状の上下一対の突条による挿入条２３を備えたものとしてあり、このとき該挿入条２３は、その下位の突条を上位の突条の突出幅より幾分大とするように下位の突条を長く、上位の突条を短くすることによって断面逆ユ字状をなすものとしてあり、本例にあって中間下地材２は、例えば上記建物構造材１１ａ、即ち一対の桁に固定金具１０、例えば、Ｌ字金具の一方をネジ固定し、他方を中間下地材２の中空基部２１に挿入支持し、該Ｌ字金具を介して多数並列架設してあり、このとき該中間下地材２は、その上記載置条２２と挿入条２３を、隣接相互に対向配置するようにして、その架設を行ってある。
【００２５】
端部枠５は、同じく上下一対の挿入条５１を備えるとともにその突出幅を短くした上位突片を背面側に延長することによって該延長部位を固定条５２としたものとしてあり、該端部枠５は、該中間下地材２と平行に同じく一対の桁に、後述の端部下地材６の下面に対して、その固定条５２を対接して下面からネジ９止めして、その配置を行なってある。
【００２６】
端部下地材６は、上記中間下地材２の中空基部２１と同形状の中空にしてその一端に、他方の建物構造材１１ｂ、本例にあっては梁方向に突出した接続用の突条を備えたものとしてあり、該端部下地材６は、建物構造材、特に一対の梁１１ｂにそれぞれ近接して、一対の桁１１ａに対して同じくＬ字金具の固定金具１０を介してネジ固定することによって該梁と平行に架設し、上記端部枠５をネジ９止めしてその支持を行なうものとしてある。
【００２７】
天井吊材７は、上記建物構造材１１ａ、本例にあっては桁と略同長にして、梁に固定する固定金具のＬ字金具における固定片を受け入れる溝を備えた中空のものとしてあり、該天井吊材７は、一対の梁の、長手方向中央位置に同じく該固定金具をネジ止めして、桁に平行にして上記中間下地材２の上位に位置して配置してあり、このとき該天井吊材７はその各中間下地材２との交差位置において該天井吊材７にネジ固定し且つ中間下地材２にネジ固定した連結金具７１によって各中間下地材２の長手方向中央位置を吊支持して、本例にあって中間下地材２を梁と略同長としたことによる該中間下地材２の垂下がりを防止したものとしてある。
【００２８】
支持枠８は、上記建物構造材１１ａ、本例にあっては桁と略同長にして、該桁に固定する起立片と、その下端から張出した、上記中間下地材２の載置条２３と同一面をなす載置条８１を備えた断面Ｌ字状のものとしてあり、該支持枠８は、その起立片を桁に対接して該起立片から同様にネジ止めして、各桁に隣接して並列するように配置してある。
【００２９】
本例にあって天井パネル３は、例えば、珪酸カルシウム板の不燃化粧パネルを、上記中間下地材２間の間隔乃至これと端部枠５間の間隔に合せて切断したものとしてあり、本例にあって該天井パネル３は、その長さを上記平面矩形の一対の梁と該梁間中央位置の上記天井吊材７との間の間隔として、上記天井パネル３の設置空間に合せた面積をなす平面矩形のものとしてある。
【００３０】
該天井パネル３は、上記中間下地材２乃至端部枠５を天井下地として、その天井への配置固定を行ってあり、該天井パネル３の固定は、例えば、図８に示すように、中間下地材２間、並列端部にあっては中間下地材２と端部枠５間の天井パネル３の設置空間にその下方から各天井パネル３を斜め上方に向けて挿入し、該天井パネル３一方のパネル端部を、対向配置の挿入条２３又は５１に挿入した後、水平に転倒して他方のパネル端部を対向配置の載置条２２に載置することによって、該天井パネルを定位置に水平に支持し、その後に隣接するスペースから後付金具４を該載置条側の中間下地材２に後付設置し、該金具４によって載置条２２に載置したパネル端部を押え固定するものとしてある。
【００３１】
本例にあって該パネル端部を押え固定した後付金具４は、これを、中間下地材２に被嵌配置し、その載置条２２側に突出したパネル押え片４５と挿入条２３側の側面に沿うネジ固定片４１を備えたものとし、該パネル押え片４５によってそのパネル端部の押え固定を行なうものとしてある。本例の後付金具４は、例えば、中間下地材２を被嵌するように、一方の短寸の固定片４１と、他方の長寸の添設片４３と、これらを下向き開口コ字状に上端で連結した連結片４４と、長寸の添設片４３下端の断面倒L字状のパネル押え片４５とを備え且つ上記固定片４１の面内にネジ透孔４２を備えた、本例にあってアルミ押出材を数ｃｍ幅の短幅に切断加工して形成したものとしてある。
【００３２】
従って、該後付金具４は、中間下地材２を被嵌してパネル端部を押さえ固定する固定金具として、その上記固定片４１と添設片４３間に中間下地材２の中空基部２１を受け入れてそのパネル押え片４５でパネル端部を下向きに押圧するように配置し、固定片４１のネジ透孔４２を介してネジ９を中間下地材２の中空基部２１側面に螺入して、中間下地材２への固定状態で天井パネル３の押え固定を行なうものとしてある。
【００３３】
また、中間下地材２と上記端部下地材６間、特に最後の天井パネル３を装着する端部下地材６との間にあっては、中間下地材２の挿入条２３に天井パネル３の一方のパネル端部を受け入れた状態で、該天井パネル３を手持ちする等して、他方のパネル端部に端部枠５の挿入条５１を差し込むように該端部枠５を装着し、その固定条５２を上記端部下地材６の下面に対接して長手方向所定間隔複数のネジ９によって該端部枠５を固定することによって、その天井パネル３のパネル端部双方を挿入条２３、５１に受け入れ支持するものとしてある。この場合を含めて天井パネル３の中間下地材２乃至端部枠５と交差する端部は、例えば平面矩形の一対の桁に配置した上記支持枠８の載置条８１に載置してその支持を行なうようにしてある。
【００３４】
以上のように平面矩形の建物構造材１１ａ、１１ｂに対して、これら中間下地材２、端部枠５、端部下地材６、天井吊材７、支持枠８により形成した天井下地に配置した天井パネル３は、そのパネル端部、特に長辺側のパネル端部を、その一方を挿入条２３に挿入支持し且つ他方を載置条２２に載置して後付金具４によって押え固定したから、該天井パネル３はこれら中間下地材２乃至端部下地材６に固定した端部枠５によって確実且つ強固に支持され、また、短辺側のパネル端部を支持枠８の載置条８１に載置して支持したことによって、該天井パネル３の固定は確実になされ、従って、例えば、縦引乃至横引シャッター１３、１４開放時に室内に風圧を受ける等しても、天井パネル３が揺動したり、揺動による騒音を発生したりすることなく、安定した固定状態を確保し且つ維持することができる。
【００３５】
また、天井パネル３は、そのパネル端部に受入溝を形成する必要もなく、切断面のままでその固定をなし得るから、現場で中間下地材２間やこれと端部下地材６間の寸法に合せて切断して使用しても、現場作業の煩雑化を招くことを防止できる。
【００３６】
更に天井パネル３は、平面矩形の建物構造材１１ａ、１１ｂに対して上記中間下地材２等の天井下地形成部材を配置することによって、天井パネル３の固定を行なうことができるから、天井下地を吊支持するためのスラブがなくても、上記ガレージ以外の、例えば、物置、仮設ハウスの如くに平面矩形の建物構造材に屋根１２を支持する屋外構築物を含めて、各種建物の天井の形成を行なうことが可能となるとともに該天井の形成は、これを比較的容易に行なうことができる。
【００３７】
図中１５は、上記建物構造材とともに屋外構築物Ａを形成する下位の建物構造材、１６は連棟部分を連結した連結壁である。
【００３８】
図示した例は以上のとおりとしたが、中間下地材を平面矩形の建物構造材の梁に並列架設すること、後付金具を断面Ｌ字状に形成し、その起立壁を中間下地材にネジ固定すること、建物構造材に内枠を配置し、該内枠に天井下地を形成するようにすること等を含めて、本発明の実施に当って、建物構造材、中間下地材、載置条、挿入条、天井パネル、後付金具、必要に応じて用いる端部枠、支持枠等の各具体的形状、構造、材質、これらの関係、これらに対する付加等は、上記発明の要旨に反しない限り様々な形態のものとすることができる。
【符号の説明】
【００３９】
Ａ  屋外構築物
１  支柱
１１ａ  建物構造材（桁）
１１ｂ  建物構造材（梁）
１２  屋根
１３  縦引きシャッター
１４  横引きシャッター
１５  下位構造材
１６  連結壁
２  中間下地材
２１  中空基部
２２  載置条
２３  挿入条
３  天井パネル
４  後付金具
４１  固定片
４２  ネジ透孔
４３  添設片
４４  連結片
４５  パネル押え片
５  端部枠
５１  挿入条
５２  固定条
６  端部下地材
７  天井吊材
７１  連結金具
８  支持枠
８１  載置条
９  ネジ
１０  固定金具
【図１】
2010203040.tif 000003
【図２】
2010203040.tif 000004
【図３】
2010203040.tif 000005
【図４】
2010203040.tif 000006
【図５】
2010203040.tif 000007
【図６】
2010203040.tif 000008
【図７】
2010203040.tif 000009
【図８】
2010203040.tif 000010
【図９】
2010203040.tif 000011
【図１０】
2010203040.tif 000012
【図１１】
2010203040.tif 000013
【図１２】
2010203040.tif 000014